(57)【要約】【課題】本発明は、簡単な作業で確実に扉体の片下がりを調整することのできる扉体片下がり調整装置を提供することを目的としている。【解決手段】本発明は扉体片下がり調整装置であって、蝶番は、蝶番ピンと、蝶番ピンを挿通する蝶番ピン穴を形成し、固定金具により箱体本体に固定される支持金具とで構成され、支持金具には長穴形状のねじ挿通孔を設けると共に、支持金具の固定位置を側方向に調整可能にする調整突起を設ける一方、固定金具には、支持金具に設けられたねじ挿通孔に対向する位置にねじ穴と、調整突起に対向する固定突起とを設けることを特徴とする。【選択図】図１
2009277978.tif 000002
【特許請求の範囲】
【請求項１】
前面に開口を有する箱体本体に、前記開口を施蓋する扉体を蝶番を介して回動動作により開閉可能に取り付けて成る、各種電気機器を収納するための電気機器収納用箱体の扉体片下がり調整装置であって、前記蝶番は、蝶番ピンと、該蝶番ピンを挿通する蝶番ピン穴を形成し、固定金具により前記箱体本体に固定される支持金具とで構成され、前記支持金具には長穴形状のねじ挿通孔を設けると共に、前記支持金具の固定位置を側方向に調整可能にする調整突起を設ける一方、前記固定金具には、前記支持金具に設けられたねじ挿通孔に対向する位置にねじ穴と、前記調整突起に対向する固定突起とを設けることを特徴とする扉体片下がり調整装置。
【発明の詳細な説明】
【技術分野】
【０００１】
本発明は、前面に開口を有する箱体本体に、開口を施蓋する扉体を蝶番を介して回動動作により開閉可能に取り付けて成る、各種電気機器を収納するための電気機器収納用箱体の扉体片下がり調整装置に関するものである。
【背景技術】
【０００２】
分電盤を構成する、電気機器を収納する電気機器収納用箱体は、前面に開口を有し、開口部分は蝶番を介して回動動作により開閉可能に扉体が取り付けられる。箱体本体を壁面に取り付けたとき、壁面の凹凸、扉体や箱体本体の重量、蝶番のがたつきなどの理由により、図７に示すような、扉が傾く、扉体片下がりという現象が起こることがあった。
【０００３】
この扉体片下がりを調整するために、特許文献１のようなものがあった。内扉は上下二ヶ所で箱体本体に蝶着され、この二つの蝶番のうち上側の蝶番に吊り下げるように内扉を取り付け、片下がりが発生した場合には、下側の蝶番を左右に移動させ、扉体がまっすぐになるような位置に蝶番を固定していた。このように、扉体の片下がりが生じた場合、下側の蝶番の位置を移動させることで調整を行っていた。
【特許文献１】特開２００３−２８９６０３号公報
【発明の開示】
【発明が解決しようとする課題】
【０００４】
しかしながら、上記従来の扉体の片下がり調整方法では、下側蝶番は、扉体を外さないと移動作業ができないため、片下がり調整を行う場合には、扉体を外していた。実際に扉体の状態を見ながらの作業ではないため、蝶番を固定した後扉体を取り付けてみて、まだ片下がりがあるようであれば、再調整するために扉体を外すというように、大変手間がかかっていた。
【０００５】
また、下側蝶番の調整作業は、蝶番を固定しているねじを緩め、蝶番を手で移動させて、再びねじを締め付けているため、蝶番の固定作業だけでも手間がかかっていた。
【課題を解決するための手段】
【０００６】
そこで本発明は、簡単な作業で確実に扉体の片下がりを調整することのできる扉体片下がり調整装置を提供することを目的とし、その構造は、蝶番は、蝶番ピンと、蝶番ピンを挿通する蝶番ピン穴を形成し、固定金具により箱体本体に固定される支持金具とで構成され、支持金具には長穴形状のねじ挿通孔を設けると共に、支持金具の固定位置を側方向に調整可能にする調整突起を設ける一方、固定金具には、支持金具に設けられたねじ挿通孔に対向する位置にねじ穴と、調整突起に対向する固定突起とを設けることを特徴とする。
【発明の効果】
【０００７】
本発明は、蝶番は、蝶番ピンと、蝶番ピンを挿通する蝶番ピン穴を形成し、固定金具により箱体本体に固定される支持金具とで構成され、支持金具には長穴形状のねじ挿通孔を設けると共に、支持金具の固定位置を側方向に調整可能にする調整突起を設ける一方、固定金具には、支持金具に設けられたねじ挿通孔に対向する位置にねじ穴と、調整突起に対向する固定突起とを設けるため、支持金具に設けられた調整突起と固定金具に設けられた固定突起とに挿通された調整ねじにより、蝶番の固定位置を調整することが容易にできる。また、扉体を取り付けた状態で、片下がりの調整ができ、扉体の片下がりの状態を目視しながら作業できるため、確実な作業をすばやく行うことができる。
【発明を実施するための最良の形態】
【０００８】
本発明に係る扉体片下がり調整装置の実施例を図１〜図４の添付図面に基いて説明する。
【０００９】
各種電気機器を収納し、壁面に取り付けて用いられる分電盤を構成する、電気機器収納用箱体１は、前面に開口２を有する箱体本体３と、開口２を施蓋する扉体４とから成る。扉体４は、扉側蝶番ピン５を設け、箱体本体３には、扉側蝶番ピン５が挿通可能である蝶番ピン穴６を持つ支持金具７を取り付ける。支持金具７は、箱体本体３の内側から固定金具８と共にねじ止めして固定される。
【００１０】
支持金具７は、箱体本体取り付け部９と蝶番ピン支持部１０とを折曲形成し、蝶番ピン支持部１０に蝶番ピン穴６を形成する。箱体本体取り付け部９には長穴形状のねじ挿通孔１１を設けている。締め付けることによって、支持金具７の固定位置を側方向に移動させることができるような調整ねじ１２を挿通する挿通穴１３を形成した調整突起１４を形成している。
【００１１】
固定金具８は、支持金具７を箱体本体３を挟んで内側より固定する。そのため、支持金具７に対応させた形状となっている。支持金具７に設けられたねじ挿通孔１１に対向する位置にはねじ穴１５が、支持金具７の調整突起１４に対向する固定突起１６が設けられる。固定突起１６には、調整突起１４と同様タップ穴１７が設けられる。
【００１２】
箱体本体３の支持金具７の取り付け部分には、固定金具８に設けられた固定突起１６が突出可能である突出孔１８を設ける。固定金具８を固定突起１６を突出孔１８から突出させて、箱体本体３内側からあてがい、支持金具７と固定金具８とを対向させ、固定ねじ１９をそれぞれねじ挿通孔１１とねじ穴１５とに挿通し、締め付け固定する。
【００１３】
支持金具７に設けられた蝶番ピン穴６に扉体４に設けられた扉側蝶番ピン５を差し込み、扉体４を箱体本体３に回動動作により開閉可能に取り付ける。このとき、箱体本体３が設置される壁面に凹凸があったり、扉体４に機器が取り付けられた場合の重量の偏りや、蝶番のがたつきなどの理由により、図７に示すような扉体４が箱体本体３に対してまっすぐに配置されない片下がりが発生することがある。本発明はこのような扉体の片下がりが発生した場合、調整可能である蝶番に関する。
【００１４】
支持金具７の調整突起１４に設けられた挿通穴１３と固定金具８の固定突起１６に設けられたタップ穴１７とに調整ねじ１２を挿通する。支持金具７の箱体本体取り付け部９に設けられたねじ挿通孔１１は長穴形状であるため、このねじ挿通孔１１の範囲内においては、支持金具７を任意の位置で固定することが可能である。固定ねじ１９を緩め、支持金具７を移動可能な状態にして調整ねじ１２を締め付ける。図上では、調整ねじ１２を締め付けると支持金具７は右側へと移動する。支持金具７が右側へ移動すると同時に蝶番ピン穴６も右側へ移動することとなり、扉体４の左側が上がり、片下がりが解消できる。片下がりが解消した位置で、固定ねじ１９を締め付け、支持金具７を箱体本体３に固定する。
【００１５】
調整突起１４と固定突起１６は、蝶番部分とは重ならない場所に設け、片下がりの調整は、扉体４を箱体本体３に取り付けた状態で行うことができるので、実際の片下がりの状態を目視しながらの調整となり、それぞれの電気機器収納用箱体１の状態に合わせて確実に行うことができる。
【００１６】
本発明に係る扉体片下がり調整装置において、支持金具２１は、箱体本体２２に固定するのに、固定金具を用いず、例えば、図６に示すように箱体本体２２に固定突起２３を切り起こした形態のものでも良い。固定突起２３には支持金具２１の調整突起２４に設けた挿通穴２５に対向するタップ穴２６を設け、挿通穴２５とタップ穴２６には調整ねじ２７を挿通する。調整ねじ２７を締め付けると支持金具２１は右側へと移動する。支持金具２１が右側へ移動すると同時に蝶番ピン穴２８も右側へ移動することとなり、扉体の左側が上がり、片下がりが解消できる。片下がりが解消した位置で、固定ねじ２９を締め付け、支持金具２１を箱体本体２２に固定する。
【００１７】
また、蝶番の構造についても、扉体に蝶番ピンを、箱体本体に支持体を設けるものに限定せず、蝶番ピンを箱体本体に形成しても良い。
【図面の簡単な説明】
【００１８】
【図１】電気機器収納用箱体の扉体片下がり調整装置を示す説明図である。
【図２】図１の扉体を箱体本体に取り付けた状態を示す説明図である。
【図３】図１におけるＡ矢視図である。
【図４】図１の扉体片下がり調整装置の拡大図である。
【図５】図１の扉体片下がり調整装置の断面図である。
【図６】扉体片下がり調整装置の変形実施例を示す説明図である。
【図７】扉体の片下がりを示す説明図である。
【符号の説明】
【００１９】
１    電気機器収納用箱体
２    開口
３    箱体本体
４    扉体
５    扉側蝶番ピン
６    蝶番ピン穴
７    支持金具
８    固定金具
９    箱体本体取り付け部
１０  蝶番ピン支持部
１１  ねじ挿通孔
１２  調整ねじ
１３  挿通穴
１４  調整突起
１５  ねじ穴
１６  固定突起
１７  タップ穴
１８  突出孔
１９  固定ねじ
２１  支持突起
２２  箱体本体
２３  固定突起
２４  調整突起
２５  挿通穴
２６  タップ穴
２７  調整ねじ
２８  蝶番ピン穴
２９  固定ねじ
【図１】
2009277978.tif 000003
【図２】
2009277978.tif 000004
【図３】
2009277978.tif 000005
【図４】
2009277978.tif 000006
【図５】
2009277978.tif 000007
【図６】
2009277978.tif 000008
【図７】
2009277978.tif 000009